(57)【要約】【課題】真正性を確認可能な印刷物の製造方法を提供すること【解決手段】シリアルナンバーを暗号化して得られる情報を含む可視２次元コードを、可視光に対して吸収特性を有するトナーで用紙に印刷し、その暗号化に用いた鍵を含む透明２次元コードを可視光に対して吸収特性を示さず、且つ、赤外光に対して吸収特性を示すトナーで用紙に印刷する。このようにして製造された印刷物にあっては、可視２次元コードからシリアルナンバーを抽出するためには、透明２次元コードから鍵情報を得る必要があるが、透明２次元コードは赤外光を照射してスキャンしならければ読み取れない。従って、印刷物の複製は困難であり、可視２次元コードの情報を、透明２次元コードの鍵をもって復号できることを試行すれば、印刷物の真正性を確認できる。【選択図】図１
2018089840.tif 000002
【特許請求の範囲】
【請求項１】
塗工材料により所定の情報を示す符号画像を基体の表面に現像する印刷物の製造方法において、
前記所定の情報を示す第１の符号画像を生成する第１の変換工程と、
その第１の変換工程により生成された第１の符号画像を、可視の範囲内である所定の波長域に属する可視光に対して吸収特性を示し、且つ、可視の範囲外である所定の波長域に属する不可視光に対して吸収特性を示さない第１の塗工材料により、前記基体の表面に現像する第１の印刷工程と、
前記所定の情報に対して照合可能な符合情報を示す第２の符号画像を生成する第２の変換工程と、
その第２の変換工程により生成された第２の符号画像を、可視の範囲内の波長域に属する光に対して吸収特性を示さず、且つ、前記不可視光に対して吸収特性を示す第２の塗工材料により、前記基体の表面に現像する第２の印刷工程と、を含むことを特徴とする印刷物の製造方法。
【請求項２】
暗号化に用いる鍵情報を取得する鍵取得工程と、
その鍵取得工程により取得された鍵情報を用いて、前記所定の情報を暗号化して暗号化情報を生成する暗号化工程と、を含み、
前記第１の変換工程は、
前記暗号化工程により生成された暗号化情報を含めることにより、前記所定の情報を示すものとしての前記第１の符号画像を生成するものであり、
前記第２の変換工程は、
前記鍵取得工程により取得された鍵情報を前記符合情報として、第２の符号画像を生成するものであることを特徴とする請求項１記載の印刷物の製造方法。
【請求項３】
前記鍵取得工程は、印刷物ごとに異なる鍵情報を取得するものであることを特徴とする請求項２記載の印刷物の製造方法。
【発明の詳細な説明】
【技術分野】
【０００１】
本発明は、印刷物の製造方法に関し、特には、真正性を確認可能な印刷物の製造方法に関する。
【背景技術】
【０００２】
印刷物を介して行う符号化された情報の伝達の手段として、バーコードや２次元コード（例えばＱＲコード（登録商標））等の符号画像を利用することが広く行われている。そのような情報伝達手段の応用例として、交通機関の切符や公演のチケット等に改札のための情報を含む２次元コードを印刷し、当該２次元コードから正当な情報を取得できることをもって改札を行うものがある。
【０００３】
例えば、特許文献１には、鉄道等の駅に設置された自動改札機において、利用者の持つＱＲ券の券面に印刷されたＱＲコード（登録商標）から乗車券情報を取得し、当該乗車券情報について、ＬＡＮ（Ｌｏｃａｌ  Ａｒｅａ  Ｎｅｔｗｏｒｋ）を介して使用状態管理装置に照会することによって改札を実現する改札システムが開示されている。特許文献１には、使用状態管理装置において、自動改札機から送信された乗車券情報について、当該乗車券情報を有するＱＲ券が既に入場に使用されたものか否かが評価されることが説明されている。
【先行技術文献】
【特許文献】
【０００４】
【特許文献１】特開２０１３−０９７５３７号公報
【発明の概要】
【発明が解決しようとする課題】
【０００５】
しかしながら、２次元コードは比較的容易に複製可能であるために、改札等での利用を目的とする２次元コードが偽造される虞がある。特許文献１の例では、２次元コード（ＱＲコード（登録商標））から取得した乗車券情報について、使用状態管理装置において入場の履歴を確認してはいるものの、偽造された２次元コードで先に改札が行われた場合、後から改札しようとする正当な２次元コードについて、既に入場に使用されたものとして、改札に失敗してしまい、真正性（２次元コードを含む印刷物が複製されたものでないことをいう。以下同じ）の評価を誤るとの問題点がある。
【０００６】
また、特許文献１の例のように、２次元コードに含まれる情報に関する履歴を用いて改札を行う方法では、履歴情報の蓄積・検索等の処理が必要となり、相当規模の情報処理システムを構えなければならないとの問題点もある。
【０００７】
本発明は、これらの問題等に対してなされたものであり、２次元コードやバーコード等の符号画像を利用した簡素な方法によって、真正性を確認し得る印刷物の製造方法を提示することを目的とする。
【課題を解決するための手段】
【０００８】
本発明の印刷物の製造方法は、塗工材料により所定の情報を含む符号画像を基体の表面に現像するものであって、上述した課題を解決するために、前記所定の情報を示す第１の符号画像を生成する第１の変換工程と、その第１の変換工程により生成された第１の符号画像を、可視の範囲内である所定の波長域に属する可視光に対して吸収特性を示し、且つ、可視の範囲外である所定の波長域に属する不可視光に対して吸収特性を示さない第１の塗工材料により、前記基体の表面に現像する第１の印刷工程と、前記所定の情報に対して照合可能な符合情報を示す第２の符号画像を生成する第２の変換工程と、その第２の変換工程により生成された第２の符号画像を、可視の範囲内の波長域に属する光に対して吸収特性を示さず、且つ、前記不可視光に対して吸収特性を示す第２の塗工材料により、前記基体の表面に現像する第２の印刷工程と、を含むことを特徴とする。
なお、本発明において「印刷」とは、塗工材料を基体表面に固定することで所望の像を現像することを指し、版を用いてインキを基体上に転写することの他、リボンによる転写、インクジェット、トナーの定着等、種々の方法による印刷に関して本発明を適用可能である。
【０００９】
また、本発明の印刷物の製造方法としては、暗号化に用いる鍵情報を取得する鍵取得工程と、その鍵取得工程により取得された鍵情報を用いて、前記所定の情報を暗号化して暗号化情報を生成する暗号化工程と、を含め、前記第１の変換工程を、前記暗号化工程により生成された暗号化情報を含めることにより、前記所定の情報を示すものとしての前記第１の符号画像を生成するものとし、前記第２の変換工程を、前記鍵取得工程により取得された鍵情報を前記符合情報として、第２の符号画像を生成するものとすることが提案される。
【００１０】
また、本発明の印刷物の製造方法としては、前記鍵取得工程を、印刷物ごとに異なる鍵情報を取得するものとすることが提案される。
【発明の効果】
【００１１】
本発明の印刷物の製造方法によれば、第１の変換工程において、所定の情報を示す第１の符号画像が生成され、その第１の符号画像が、第１の印刷工程において、可視の範囲の所定の波長域に属する可視光に対して吸収特性を示し、且つ、不可視の範囲の所定の波長域に属する不可視光に対して吸収特性を示さない第１の塗工材料により基体の表面に現像される。一方、第２の変換工程において、所定の情報と照合可能な符合情報を示す第２の符合画像が生成され、その第２の符号画像が、第２の印刷工程において、可視の範囲内に属する波長域の光に対して吸収特性を示さず、且つ、前述した不可視光に対して吸収特性を示す第２の塗工材料により基体の表面に現像される。
【００１２】
換言すれば、第１の印刷工程および第２の印刷工程を経た基体に可視光を照射した場合には、第１の符号画像として第１の塗工材料が塗布された部分では可視光が吸収されるが、その他の部分では第２の符号画像として第２の塗工材料が塗布されていたとしても可視光は吸収されない。従って、可視光の反射光は第１の符号画像を現出させる。一方、可視光に代えて前述した不可視光を照射した場合には、第２の符号画像として第２の塗工材料が塗布された部分では不可視光が吸収されるが、その他の部分では第１の符号画像として第１の塗工材料が塗布されていたとしても不可視光は吸収されない。従って、不可視光の反射光は第２の符号画像を現出させる。即ち、照射する光を可視光か不可視光かを選択することで、第１の符号画像または第２の符号画像を選択的に撮像することができる。
【００１３】
そして、第２の符号画像が示す情報は、第１の符号画像が示す所定の情報に対して照合可能な符合情報である。よって、第１の符号画像を撮像して所定の情報を得たのち、その所定の情報について、第２の符号画像から得られる符合情報をもって照合することで、所定の情報の真正性、ひいては、印刷物の真正性を検証することが可能となる。
【００１４】
なお、前述した通り、基体の表面に現像された第２の符号画像は可視光の照射に対して現出しないので、一般的なカメラやスキャナーでは撮像できない。よって、第２の符号画像を含む印刷物の複製は困難である。
【００１５】
従って、本発明の印刷物の製造方法によれば、基体に現像された第１の符号画像および第２の符号情報に基づいて容易に真正性を確認でき、且つ、複製が困難な印刷物を製造できるとの効果がある。
【００１６】
また、第１の変換工程により生成される第１の符号画像は、鍵取得工程により取得された鍵情報を用いて暗号化工程で所定の情報を暗号化して生成された暗号化情報をもって所定の情報を示すものとして、生成される。一方、第２の変換工程により生成される第２の符号画像は、鍵取得工程により取得された鍵情報を符合情報として、生成される。
【００１７】
即ち、印刷物を入手した者は第２の符号画像から鍵情報を得ない限り、第１の符号画像が示す暗号化情報を復号して所定の情報を得ることができない。一方で、第２の符号情報に鍵情報が示されることを知るものは、一の印刷物上に存在する第１の符号画像および第２の符号画像から所定の情報を入手することができ、別途鍵情報の伝達を受ける必要がない。従って、本発明によれば、秘匿すべき情報についてセキュリティ性を確保しつつ、当該情報を容易に伝達可能な印刷物を製造できるとの効果もある。
【００１８】
また、鍵取得工程では、印刷物ごとに異なる鍵情報が取得される。すべての印刷物について同一の鍵情報が用いられる場合、第２の符号画像が示す鍵情報が一度漏洩すると、第１の符号画像のみを入手すれば、誰でも容易に第１の符号画像の暗号化情報から所定の情報を復号できてしまう。しかしながら、印刷物ごとに異なる鍵情報を取得し、その鍵情報をもって所定の情報を暗号化するとともに、該鍵情報を第２の符号画像に含めるようにすることで、第２の符号画像を有さない印刷物からは、容易に所定の情報を抽出できなくなる。そして、前述した通り、第２の符号画像は不可視であるので、第２の符号画像を含めて印刷物を複製することは困難である。従って、本発明によれば、情報伝達の手段として一層高いセキュリティ性をもつ印刷物を製造できるとの効果もある。
【図面の簡単な説明】
【００１９】
【図１】（ａ）はチケット１の表面を表す模式図であり、（ｂ）および（ｃ）はチケット１の表面に照射した可視光Ｖまたは赤外光Ｉの反射についての説明図である。
【図２】（ａ）および（ｂ）は可視２次元コード５０または透明２次元コード８０に含まれる情報を示す説明図であり、（ｃ）はチケット１への可視２次元コード５０または透明２次元コード８０の印刷に用いる装置の説明図である。
【図３】チケット１に可視２次元コード５０および透明２次元コード８０を印刷する処理を示すデータフロー図である。
【図４】チケット管理システム１００の構成要素の説明図である。
【図５】チケット管理システム１００におけるチケット１の改札を行う照合処理Ｓ４００のフローチャートである。
【発明を実施するための形態】
【００２０】
本願に係る発明（以下「本発明」と称す）の実施態様の一例を図面に沿って説明する。はじめに、図１（ａ）を参照し、本発明を利用して印刷（製造）されるチケット１を説明する。図１（ａ）は、チケット１の一の面を表す模式図である。なお、他の面については無地であってもよいし、何らかの印刷が施されたものであってもよい。
【００２１】
チケット１は、例えば公演の入場に利用する券である。チケット１は用紙２をベースとし、用紙２に、公演の題目、日時、場所等がデザインされた券面画像７が印刷されて作成される。用紙２は、略白色のチケット用紙である。なお、券面画像７の印刷は、予め行われるものであってもよいし、後述する可視２次元コード５０および透明２次元コード８０の印刷と併せて行われるものであってもよい。
【００２２】
図１（ａ）に示すように、券面画像７の一部には、コード領域８が設けられる。コード領域８は、券面画像７の領域においてその印刷を欠く領域であり、換言すれば、券面画像７の領域のうち、コード領域８では用紙２の表面が露出する。
【００２３】
コード領域８には、可視２次元コード５０と透明２次元コード８０とが相互に少なくとも一部が重なるように印刷される。これは、可視２次元コード５０と透明２次元コード８０とを狭小のコード領域８の範囲内に配置すること、また、透明２次元コード８０の存在をチケット１の観察者に気づかれ難くすること、更には、透明２次元コード８０に相当する２次元コードを有色の塗料によって可視２次元コード５０とは異なる箇所に再現してなる偽造を無効化することを意図したものである。なお、可視２次元コード５０および透明２次元コード８０は、いずれも、情報を所定の規則に従って画像化したＱＲコード（登録商標）である。詳しくは図２を参照して後述するが、可視コード５０および透明コード８０は、プリンター４５（図２（ｃ）参照）によりコード領域８の領域内に印刷される。
【００２４】
可視２次元コード５０は、プリンター４５により、シアントナー４６ｃ、マゼンタトナー４６ｍ、イエロートナー４６ｙ（図２（ｃ）参照）の３色のトナーを用いて印刷される。即ち、これらのトナーで印刷された可視２次元コード５０は、人間の視覚に対して可視である。なお、本実施例で採用するシアントナー４６ｃ、マゼンタトナー４６ｍ、イエロートナー４６ｙは、波長が７５０〜１４００ｎｍの赤外光に対して吸収特性を示さないものとする。なお、ここに示す赤外光の波長域「７５０〜１４００ｎｍ」とは、特許請求の範囲記載の「可視の範囲外である所定の波長域」の例示である。
【００２５】
透明２次元コード８０は、プリンター４５により、波長が７５０〜１４００ｎｍの赤外光に対して吸収特性を示し、且つ、人間の視覚に対して可視の波長帯に属する光に対して吸収特性をほぼ示さない透明トナー４７（図２（ｃ）参照）を用いて印刷される。透明トナー４７としては、例えば、公知の透明材料にナフタロシアニン系化合物などの赤外吸収剤を添加して製造されるものを採用できる。透明トナー４７で印刷された透明２次元コード８０は、人間の視覚に対して略透明（略不可視）である一方で、波長が７５０〜１４００ｎｍの赤外光が照射された場合には、その反射光の像は透明２次元コード８０となる。
【００２６】
ここで、図１（ｂ）および図１（ｃ）を参照して、チケット１に対して可視光Ｖまたは赤外光Ｉを照射した場合の反射を説明する。図１（ｂ）および図１（ｃ）は、用紙２と可視コード５０と透明コード８０との積層状態を模式化した図である。ここでは、理解のために、可視コード５０および透明コード８０が重なり合わないものとして表しているが、実際は可視コード５０と透明コード８０はお互いに重なり合う部分がありうる。
【００２７】
図１（ｂ）は、チケット１の表面に可視光Ｖを照射した場合の様子を示した図である。この場合、可視光Ｖは可視２次元コード５０として印刷された部分で吸収される一方で、透明２次元コード８０として印刷された部分では吸収されず、用紙２の表面で反射される。従って、可視光Ｖの反射光を撮像した場合、可視２次元コード５０として印刷された部分のみが再現され、透明２次元コード８０として印刷された部分は現れない。即ち、可視光Ｖを照射して撮像された画像には、可視２次元コード５０のみが現出する。
【００２８】
一方、図１（ｃ）は、チケット１の表面に７５０〜１４００ｎｍの波長の赤外光Ｉを照射した場合の様子を示す図である。この場合、赤外光Ｉは透明２次元コード８０として印刷された部分で吸収される一方で、可視２次元コード５０として印刷された部分では吸収されず、用紙２の表面で反射される。従って、赤外光Ｉの反射光を撮像した場合、透明２次元コード８０として印刷された部分のみが再現され、可視２次元コード５０として印刷された部分は現れない。即ち、赤外光Ｉを照射して撮像された画像には、透明２次元コード８０のみが現出する。
【００２９】
以上説明した通り、チケット１に照射する光を可視光Ｖとするか、赤外光Ｉとするかにより、お互いに重なり合う可視２次元コード５０または透明２次元コード８０のいずれか一方を、選択的に読み取ることができる。
【００３０】
可視２次元コード５０と透明２次元コード８０とを相互に重なるように印刷することができるので、限られた領域（本実施例ではコード領域８）に多くの情報をもたせることができる。可視２次元コード５０と透明２次元コード８０とがそれぞれ同じ面積で同じ量の情報を保持できるものと仮定すると、可視２次元コード５０と透明２次元コード８０とを完全に重ねて印刷した場合の単位面積あたりの情報量は、可視２次元コード５０または透明２次元コード８０を重ねずに印刷した場合の２倍である。
【００３１】
前述した通り、透明２次元コード８０は人間の視覚に対して略透明であるので、チケット１を入手した者にその存在を気づかれにくい。また、一般的なカメラやスキャナーでは、略透明の透明２次元コード８０を撮像することが困難であるので、チケット１を不正に複製しようとしても透明２次元コード８０を複製することができない。よって、透明２次元コード８０に、チケット１が正当なものであることを評価するための情報を含めることで、チケット１自体に真正性の確認機能を持たせることができる。また、透明トナー４７は一般の市場には流通しないものであるため、チケット１の不正な複製をより困難にすることができる。
【００３２】
また、例えば、赤外光に対して吸収特性を示さない有色塗料（例えばカーボンを含有しない黒色トナー）で被覆することで印刷された透明２次元コード８０を隠蔽することも考えられるが、本実施例のように選択的に読み取り可能な可視２次元コード５０と透明２次元コード８０とを印刷することで、透明２次元コード８０の隠蔽のみならず、それぞれの２次元コードが持つ情報を利用したチケット１の真正性の確認機能をも実現できるので、チケット１の偽造をより一層防ぐことができる。
【００３３】
次に、図２（ａ）および図２（ｂ）を参照して、可視２次元コード５０および透明２次元コード８０に含める情報の特徴を説明する。図２（ａ）は可視２次元コード５０に含められる情報の説明図であり、図２（ｂ）は透明２次元コード８０に含められる情報の説明図である。
【００３４】
図２（ａ）に示すように、可視２次元コード５０は、公演情報ＵＲＬ５１と暗号化情報５２とを含む。公演情報ＵＲＬ５１は、チケット１が対象とする公演の情報が公開されているＷｅｂサイトのＵＲＬ（Ｕｎｉｆｏｒｍ  Ｒｅｓｏｕｒｃｅ  Ｌｏｃａｔｏｒ）である。チケット１を入手した者が、自身の機器（例えばスマートフォン）を用いて可視２次元コード５０を読み取った場合、公演情報ＵＲＬ５１に基づいてＷｅｂサイトにアクセスして、公演の詳細な情報を入手できる。
【００３５】
暗号化情報５２は、チケット１ごとに一意であるシリアルナンバー５３が暗号化された情報である。シリアルナンバー５３を暗号化して暗号化情報５２とする方法については、図３を参照して後述する。
【００３６】
なお、暗号化情報５２を復号してシリアルナンバー５３を取得するには、暗号化に対応した「鍵」が必要である。その「鍵」は、図２（ｂ）に示す、透明２次元コード８０に含まれる暗号化キー８１が該当する。即ち、暗号化情報５２を暗号化キー８１により復号することで初めて、チケット１からシリアルナンバー５３を取得できる。
【００３７】
換言すれば、公演情報ＵＲＬ５１は可視２次元コード５０さえ読み取れば、誰でも取得することができるが、シリアルナンバー５３については、透明コード８０の存在を知り、透明コード８０から暗号化キー８１を取得した者でなければ、取得することはできない。
【００３８】
従って、公演情報ＵＲＬ５１のように公開性の高い情報を２次元コードによって伝達する利便性を保ちつつ、シリアルナンバー５３のように秘匿性の高い情報は容易に取得されないようにできる。
【００３９】
また、一のチケット上から取得できる暗号化情報５２と暗号化キー８１とにより、当該暗号化キー８１を用いて暗号化情報５２を復号でできるか否かを試行すれば、当該チケット１が偽造されたものか否かを簡易的に検査できる。当該検査は、２次元コードの読み取りと復号の機能さえあれば特に上位サーバー等との通信をすることなく実装可能であるので、簡素な構成でチケット１の真正性検査を実現できる。
【００４０】
次に図２（ｃ）を参照して、チケット１に可視２次元コード５０および透明２次元コード８０を印刷するための設備について説明する。当該印刷には、処理ＰＣ４０およびプリンター４５を用いる。
【００４１】
処理ＰＣ４０は、ＣＰＵ（中央演算装置）４１等を備える一般的なパーソナルコンピューターであり、ＵＳＢ接続されたプリンター４５をドライバープログラム４２により制御可能に構成される。処理ＰＣ４０にはアプリケーションプログラムとして印刷プログラム４３が搭載される。処理ＰＣ４０の操作者は、印刷プログラム４３をＣＰＵに実行させることで、ＣＰＵ４１は図３に示す処理等を行い、ドライバープログラム４２等を介してプリンター４５を制御する。
【００４２】
プリンター４５は、４色のトナーを装填可能なレーザープリンターである。プリンター４５のトナーとしては、前述した、可視２次元コード５０を印刷するためのシアントナー４６ｃ、マゼンタトナー４６ｍ、イエロートナー４６ｙと、透明２次元コード８０を印刷するための透明トナー４７が装填される。前述した通り、シアントナー４６ｃ、マゼンタトナー４６ｍ、イエロートナー４６ｙはいずれも７５０〜１４００ｎｍの波長の光に対して吸収特性を示さないトナーが採用され、透明トナー４７としては、７５０〜１４００ｎｍの波長の光に対して吸収特性を示す一方で、可視光に対して吸収特性をほぼ示さないトナーが採用される。
【００４３】
ここで、前述したドライバープログラム４２は、シアントナー４６ｃ、マゼンタトナー４６ｍ、イエロートナー４６ｙとクロ（不図示）の４色を原色として扱うものであり、プリンター４５においては、クロのトナーを透明トナー４７に置換したものとしている。従って、ドライバープログラム４２にクロとして入力された印刷の指示がプリンター４５に伝達されると、プリンター４５では、クロとして入力された印刷の指示に基づいて、透明トナー４７により印刷されるよう構成される。
【００４４】
次に図３を参照して、前述した印刷プログラム４３に基づいて処理ＰＣ４０のＣＰＵ４１が実行する処理を説明する。図３は印刷プログラム４３により規定される処理を説明するデータフロー図である。なお、ここで示す処理はシリアルナンバー６５の１つごと、即ちチケット１の１枚毎に行われる処理である。複数のシリアルナンバー６５（チケット１）について処理する場合は、図３に示す処理が反復実行される。
【００４５】
図３に示す処理のインプットは、前述したシリアルナンバー５３および公演情報ＵＲＬ５１である（図２（ａ）参照）。本処理においては、まず、インプットの一つであるシリアルナンバー５３に関してハッシュ値（例えばＳＨＡ２５６方式のハッシュ値）を計算し、そのハッシュ値に基づいて、暗号化キー８１を生成する（Ｓ２０１）。なお、暗号化キー８１の生成としては、ハッシュ値に限らず、シリアルナンバー５３から独立したランダム値など種々の方法を採用できるが、生成される暗号化キー８１は、本処理を実行する都度変化することが望ましい。
【００４６】
次に、シリアルナンバー５３と暗号化キー８１とに基づいて、シリアルナンバー５３を暗号化し、暗号化情報５２を生成する（Ｓ２０２）。本実施例としては、暗号化の方法としては公知の共通鍵暗号化方式（例えばＡＥＳ方式）を採用できる。
【００４７】
次に、暗号化情報５２とインプットの一つである公演情報ＵＲＬ５１とを結合して、コード化情報５０ｄを生成する（Ｓ２０３）。ここで「結合」とは、２つの情報を構成するデータ（バイト配列）を連結することを意味し、後の取り扱いを容易にするために、間に区切りデータ（改行文字や特殊な文字列）を挿入してもよい。次に、コード化情報５０ｄをエンコードして可視２次元コード画像５０ｗを生成する（Ｓ２０４）。このとき、可視２次元コード画像５０ｗとしては、シアントナー４６ｃ、マゼンタトナー４６ｍ、イエロートナー４６ｙの３色によって表現するように生成する。
【００４８】
一方、Ｓ２０１において生成された暗号化キー８１について、当該暗号化キー８１をエンコードして透明２次元コード画像８０ｗを生成する（Ｓ２０５）。このとき、透明２次元コード画像８０ｗは、プリンター４５において透明トナー４７で再現されるよう、クロの濃淡によって表現されるように生成する。
【００４９】
次に、可視２次元コード画像５０ｗと透明２次元コード画像８０ｗの統合を行う（Ｓ２０６）。詳しくは、シアントナー４６ｃ、マゼンタトナー４６ｍ、イエロートナー４６ｙの３色で表現された可視２次元コード画像５０ｗと、クロの１色で表現された透明２次元コード画像８０ｗとを、重ね合わせの合成をして印刷画像９０を生成する（Ｓ２０６）。その後、ドライバープログラム４２を介してプリンター４５を制御して、印刷画像９０をチケット１のコード領域８に印刷する（Ｓ２０７）。
【００５０】
なお、前述した通り、プリンター４５にはクロの代わりに透明トナー４７のトナーが装填されている。即ち、印刷画像９０のうち、透明２次元コード画像８０ｗに相当するクロで表現された部分については、透明トナー４７のトナーで印刷される。よって、チケット１には、可視２次元コード画像５０ｗに基づいて可視２次元コード５０が、透明２次元コード画像８０ｗに基づいて透明２次元コード８０が、それぞれ印刷される。
【００５１】
次に図４を参照して、チケット１を応用したチケット管理システム１００を説明する。チケット管理システム１００は、チケット１の発行および改札をするための情報処理システムである。
【００５２】
チケット管理システム１００は、全体を管理する上位装置として、中央サーバー３００を有する。中央サーバー３００はチケットデータベース３０１を備え、チケットデータベース３０１には発行済みのチケット１のシリアルナンバー５３等が記録・管理される。
【００５３】
中央サーバー３０１はインターネット３９０を介して、他の構成要素と相互に接続される。ここで、破線Ａで示す領域に属する構成要素は、チケット１の発行に際して機能する構成要素である。チケット１の発行に関しては、前述した処理ＰＣ４０およびプリンター４５が用いられる。
【００５４】
処理ＰＣ４０は、図３に示す処理等によりプリンター４５を制御してチケット１を発行する。処理ＰＣ４０は、チケット１を発行した後、インターネット３９０を介して、チケット１の可視２次元コード５０に含めたシリアルナンバー５３等の情報を中央サーバー３００に送信する。中央サーバー３００では、受信したシリアルナンバー５３等の情報をチケットデータベース３０１に記録する。
【００５５】
図中Ｂの破線で示す領域に属する構成要素は、チケット１の改札において機能する構成要素である。リーダー３２０は、チケット１から２次元コードを読み取るとともに、その真正性をチェックするコンピューターである。リーダー３２０は、可視光または７５０〜１４００ｎｍの波長の赤外光によって２次元コードを読み取るための光源およびカメラ等を備える。詳しくは図５を参照して後述するが、リーダー３２０はチケット１の可視２次元コード５０および透明２次元コード８０からシリアルナンバー５３を取得するプログラム（不図示）を備える。リーダー３２０は、チケット１からシリアルナンバー５３を正常に取得できた場合、インターネット３９０を介して、当該シリアルナンバー５３を中央サーバー３００に送信する。中央サーバー３００では、受信したシリアルナンバー５３について、チケットデータベース３０１に記録されたシリアルナンバー６５の消し込み処理等を行う。
【００５６】
なお、中央サーバー３００は、受信したシリアルナンバー５３が既に消し込み済みのものであった場合にリーダー３２０に対してエラー情報を送信するように構成し、リーダー３２０は、当該エラー情報を受信した場合、改札を拒絶するように構成してもよい。
【００５７】
次に、図５のフローチャートを参照して、チケット１の改札において行われる照合処理Ｓ４００を説明する。照合処理Ｓ４００は、図４に示すチケット管理システム１００において、リーダー３２０に搭載されるアプリケーションプログラムに基づいて、リーダー３２０のＣＰＵ（不図示）が実行する処理である。照合処理Ｓ４００では、チケット１について、そのチケット１が真正のものであるか、不正なもの（偽造されたもの）であるかの判定が行われ、真正と判定されれば改札の成功、不正と判定されれば改札の失敗として結論づけられる。
【００５８】
なお、以下、照合処理Ｓ４００の説明において主語を省略した場合は、すべてリーダー３２０のＣＰＵが実行する動作であることを意味する。
【００５９】
照合処理Ｓ４００において、まず、チケット１の透明２次元コード８０からの情報の読み取りを試みる（Ｓ４０１）。具体的には、７５０〜１４００ｎｍの波長の赤外光によりチケット１の表面をスキャンし、その結果から透明２次元コード８０を検出し、検出された透明２次元コード８０を解析して情報を取得する。
【００６０】
次に、透明２次元コード８０の読み取り（Ｓ４０１の処理）が成功したか否かを判断し（Ｓ４０２）、失敗であった場合には（Ｓ４０２：Ｎｏ）、改札の失敗と結論づけて（Ｓ４１３）、本処理を終了する。なお、改札の失敗と結論づけた場合には、警告の通知、ゲートの閉止、リトライ（再試行）の開始など、不図示の種々の対応処理が行われる。
【００６１】
透明２次元コード８０の読み取り（Ｓ４０１の処理）に成功したと判断した場合（Ｓ４０２：Ｙｅｓ）、読み取った結果から暗号化キー８１を抽出する（Ｓ４０３）。
【００６２】
次に、チケット１の可視２次元コード５０の読み取りを試みる（Ｓ４０４）。具体的には、可視光によりチケット１の表面をスキャンし、その結果から可視２次元コード５０を検出し、検出された可視２次元コード５０を解析して情報を取得する。
【００６３】
次に、可視２次元コードの読み取り（Ｓ４０４の処理）に成功したか否かを判断し（Ｓ４０５）、失敗であった場合には（Ｓ４０５：Ｎｏ）、改札の失敗と結論づけて（Ｓ４１３）、本処理を終了する。
【００６４】
可視２次元コード５０の読み取り（Ｓ４０４の処理）に成功したと判断した場合（Ｓ４０５：Ｙｅｓ）、読み取った情報から暗号化情報５２を抽出する（Ｓ４０６）。次に、Ｓ４０６の処理で抽出した暗号化情報５２について、Ｓ４０３の処理で抽出した暗号化キー８１を用いた復号を試みる（Ｓ４０７）。
【００６５】
復号（Ｓ４０７の処理）に成功したか否かを判断し（Ｓ４０８）、失敗であった場合には（Ｓ４０８：Ｎｏ）、改札の失敗と結論づけて（Ｓ４１３）、本処理を終了する。
【００６６】
一方、復号（Ｓ４０７の処理）に成功した場合は、改札の成功と結論づける（Ｓ４１２）。なお、改札の成功と結論づけた場合、Ｓ４０７の処理で復号して得たシリアルナンバー５３を中央サーバー３００へ送信する処理など、不図示の種々の対応処理が行われ、その後、本処理を終了する。
【００６７】
ここまで説明した本発明の実施例によれば、チケット１上に存在する可視２次元コードおよび透明２次元コードから得られる暗号化情報５２および暗号化キー８１を用いて、容易にチケット１の真正性を評価できるので至便である。また、暗号化キー８１は、透明な透明２次元コード８０に含まれる情報であるため、複製されにくく、また、気づかれにくいため、セキュリティ性も高い。
【００６８】
また、チケット１に可視２次元コード５０および透明２次元コード８０を印刷するにあたっては、シリアルナンバー５３ごとに異なる暗号化キー８１を生成するようにしている（図３参照）。従って、悪意ある者に暗号化キー８１を推測されにくく、チケット１の偽造をより一層防ぐことができる。
【００６９】
以上、実施例に基づいて本発明を説明したが、本発明の実施態様としてはこれに限られるものではなく、目的に応じて適宜変更可能なものである。例えば、本実施例では透明２次元コード８０を７５０〜１４００ｎｍの波長に属する赤外光に対して吸収特性を示す透明トナー４７で印刷することを説明したが、赤外光には吸収特性を示さず、紫外光に対して吸収特性を示すトナーを用いて印刷してもよい。
【００７０】
また、可視２次元コード５０および透明２次元コード８０をレーザープリンターであるプリンター４５によってチケット１（用紙２）に印刷することを説明したが、リボンを用いた転写方式や、インクジェット方式等、種々の印刷方式を採用することが可能である。また、可視２次元コード５０をシアントナー４６ｃ、マゼンタトナー４６ｍおよびイエロートナー４６ｙを用いてカラー印刷することを説明したが、例えば赤外光を吸収しないようカーボンを含有しない黒色トナー等を用いて単色で可視２次元コード５０を印刷してもよいことは言うまでもない。
【００７１】
また、可視２次元コード５０および透明２次元コード８０は、いずれもＱＲコード（登録商標）であることを説明したが、他の方式によって生成された２次元コードや、バーコード等の１次元コードを採用することも当然可能である。更には、可視２次元コード５０と透明２次元コード８０とは、同じＱＲコード（登録商標）としたが、例えば可視２次元コード５０をＱＲコード（登録商標）とし、透明２次元コードをバーコードとする等、それぞれに異なる方式のコードを採用してもよい。可視２次元コード５０と透明２次元コードとが相互に異なる方式のコードとすることで、読み取りの方法を複雑化させ、チケット１のセキュリティ性を高めることができる。
【００７２】
また、上記実施例では、透明２次元コード８０に暗号化キー８１を持たせることを説明したが、暗号化した情報の存在自体を秘匿したい場合には、例えば、可視２次元コード５０に持たせる情報の一部（所定の位置のデータ等）を鍵として用いて暗号化した所定の情報を透明２次元コード８０に持たせるようにしてもよい。この方法を採用した場合、既存の情報を用いて暗号化を行うことができるため、可視２次元コード５０および透明２次元コード８０の印刷工程を簡素な構成で実装することができる。
【符号の説明】
【００７３】
１          チケット（印刷物）
２          用紙（基体）
４６ｃ      シアントナー（第１の塗工材料）
４６ｍ      マゼンタトナー（第１の塗工材料）
４６ｙ      イエロートナー（第１の塗工材料）
４７        透明トナー（第２の塗工材料）
５０        可視２次元コード（第１の符号画像）
５０ｗ      可視２次元コード画像（第１の符号画像）
５３        シリアルナンバー（所定の情報）
８０        透明２次元コード（第２の符号画像）
８０ｗ      透明２次元コード画像（第２の符号画像）
８１        暗号化キー（符合情報、鍵情報）
Ｓ２０１    （鍵取得工程）
Ｓ２０２    （暗号化工程）
Ｓ２０４    （第１の変換工程）
Ｓ２０５    （第２の変換工程）
Ｓ２０６，Ｓ２０７  （第１の印刷工程の一部、第２の印刷工程の一部）
Ｉ          赤外光（不可視光）
Ｖ          可視光
【図１】
2018089840.tif 000003
【図２】
2018089840.tif 000004
【図３】
2018089840.tif 000005
【図４】
2018089840.tif 000006
【図５】
2018089840.tif 000007